(57)【特許請求の範囲】
【請求項１】
無線通信システムのＵＥ（ユーザー端末）においてバッファ状態報告（ＢＳＲ）を実行する方法であって、
大きさが第一所定値より小さいパディング領域を含むＭＡＣ  ＰＤＵ（媒体アクセス制御プロトコルデータユニット）を形成する段階であって、前記第一所定値は長フォーマットのＢＳＲ制御要素を運ぶのに必要な大きさに対応し、前記パディング領域は短フォーマットのＢＳＲ制御要素しか運べず、前記長フォーマットのＢＳＲ制御要素を運べない、段階と、
前記ＵＥの複数の論理チャネルグループの優先度と、各論理チャネルグループのアップリンクバッファのデータ量に基づいて、第一論理チャネルグループを選択する段階と、
前記第一論理チャネルグループのアップリンクバッファのデータ量という情報を前記短フォーマットのＢＳＲ制御要素に載せる段階と、
前記短フォーマットのＢＳＲ制御要素を前記ＭＡＣ  ＰＤＵのパディング領域に載せて、前記無線通信システムのネットワークに伝送する段階と、を含み、
前記第一論理チャネルグループの優先度は前記複数の論理チャネルグループの他論理チャネルグループの優先度より高く、前記第一論理チャネルグループのアップリンクバッファのデータ量は０より大きい、ＢＳＲの実行方法。
【請求項２】
前記第一論理チャネルグループの優先度は前記複数の論理チャネルグループの他論理チャネルグループの優先度より高く、前記第一論理チャネルグループのアップリンクバッファのデータ量は第二所定値より大きい、請求項１に記載のＢＳＲの実行方法。
【請求項３】
前記短フォーマットのＢＳＲ制御要素は１バイトのデータであり、当該１バイトのデータは８ビットのデータを含み、そのうち前の２ビットは前記第一論理チャネルグループを示し、残りの６ビットは前記第一論理チャネルグループのアップリンクバッファのデータ量を示す、請求項１又は２の何れかに記載のＢＳＲの実行方法。
【請求項４】
無線通信システムのＵＥにおいてＢＳＲを正確に実行するための通信装置であって、
プログラムを実行するＣＰＵ（中央処理装置）と、
前記ＣＰＵに結合され、前記プログラムを記録する記憶装置と、を含み、前記プログラムは、
大きさが第一所定値より小さいパディング領域を含むＭＡＣ  ＰＤＵを形成するコードであって、前記第一所定値は長フォーマットのＢＳＲ制御要素を運ぶのに必要な大きさに対応し、前記パディング領域は短フォーマットのＢＳＲ制御要素しか運べず、前記長フォーマットのＢＳＲ制御要素を運べない、コードと、
前記ＵＥの複数の論理チャネルグループの優先度と、各論理チャネルグループのアップリンクバッファのデータ量に基づいて、第一論理チャネルグループを選択するコードと、
前記第一論理チャネルグループのアップリンクバッファのデータ量という情報を前記短フォーマットのＢＳＲ制御要素に載せるコードと、
前記短フォーマットのＢＳＲ制御要素を前記ＭＡＣ  ＰＤＵのパディング領域に載せて、前記無線通信システムのネットワークに伝送するコードと、を含み、
前記第一論理チャネルグループの優先度は前記複数の論理チャネルグループの他論理チャネルグループの優先度より高く、前記第一論理チャネルグループのアップリンクバッファのデータ量は０より大きい、通信装置。
【請求項５】
前記第一論理チャネルグループの優先度は前記複数の論理チャネルグループの他論理チャネルグループの優先度より高く、前記第一論理チャネルグループのアップリンクバッファのデータ量は第二所定値より大きい、請求項５に記載の通信装置。
【請求項６】
前記短フォーマットのＢＳＲ制御要素は１バイトのデータであり、当該１バイトのデータは８ビットのデータを含み、そのうち前の２ビットは前記第一論理チャネルグループを示し、残りの６ビットは前記第一論理チャネルグループのアップリンクバッファのデータ量を示す、請求項４又は５の何れかに記載の通信装置。
【発明の詳細な説明】
【技術分野】
【０００１】
本発明はバッファ状態報告（ＢＳＲ）を実行する方法及び通信装置に関し、特にＢＳＲの実行時、短フォーマットのＢＳＲ制御要素（ｃｏｎｔｒｏｌ  ｅｌｅｍｅｎｔ）に対応する論理チャネルグループを正確に決める方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ通信プロトコル層とＭＡＣ通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
ＬＴＥ無線通信システムでは、ＭＡＣ（媒体アクセス制御）層は複数の論理チャネルでデータを伝送する。アップリンクリソースを管理するために、ＵＥ（ユーザー端末）でアップリンク伝送を実行するとき、ネットワークは優先度やタイプなどの情報に基づいて、ＵＥの論理チャネルを最大４つのグループに分けることができる。また、３ＧＰＰ（第三世代パートナーシッププロジェクト）はＢＳＲプロセスを導入している。ＢＳＲプロセスは、ＵＥのアップリンクバッファのデータ量をサービス基地局（ｅｎｈａｎｃｅｄ  ｎｏｄｅ  Ｂ、ｅＮＢとも称する）に報告するために用いられる。
【０００４】
ＢＳＲプロセスでは、ＵＥはＭＡＣ  ＰＤＵ（プロトコルデータユニット）でＢＳＲ制御要素を運び、アップリンクバッファのデータ量に関する情報をネットワークに返送することで、すべてまたは特定の論理チャネルグループで伝送可能なデータ量をネットワークに通報する。ＢＳＲ制御要素は要求に応じて長／短フォーマットに分けることができる。短フォーマットのＢＳＲ制御要素は長さ１バイトで、８ビットのデータを含む。そのうち前の２ビットは特定の論理チャネルグループを示し、残りの６ビットは同論理チャネルグループのアップリンクバッファのデータ量を示す。長フォーマットのＢＳＲ制御要素は長さ３バイトで、すべての論理チャネルグループのアップリンクバッファのデータ量を報告するために用いられる。長／短フォーマットについて、詳しくは関連のプロトコル仕様を参照すればよく、ここで説明を省略する。
【０００５】
前述のように、ネットワークは長フォーマットのＢＳＲ制御要素より、すべての論理チャネルグループのアップリンクバッファのデータ量という情報を取得することができる。しかし、長フォーマットのＢＳＲ制御要素はバイト数が大きく、ＭＡＣ  ＰＤＵの長さが足りない場合ではそれを利用できず、短フォーマットのＢＳＲ制御要素でＢＳＲを行わなければならない。例えば、ＵＥは特定の状況でＭＡＣ  ＰＤＵのパディング領域にＢＳＲ制御要素を載せるが、パディング領域の長さが足りない場合では、短フォーマットのＢＳＲ制御要素を利用するほかない。短フォーマットのＢＳＲ制御要素は、特定論理チャネルグループのアップリンクバッファのデータ量情報しか運べないので、ＭＡＣ層は、報告を望む論理チャネルグループを選ばなければならない。しかし、従来の技術では、短フォーマットのＢＳＲ制御要素で運ぶ情報がどの論理チャネルグループに対応するかについて何も掲示していない。
【発明の概要】
【課題を解決するための手段】
【０００６】
本発明では、無線通信システムのＵＥ（ユーザー端末）においてバッファ状態報告（ＢＳＲ）を実行する方法を開示する。当該方法は、大きさが第一所定値より小さいパディング領域を含むＭＡＣ  ＰＤＵ（媒体アクセス制御プロトコルデータユニット）を形成する段階と、ＵＥの複数の論理チャネルグループの優先度と、各論理チャネルグループのアップリンクバッファのデータ量に基づいて、第一論理チャネルグループを選択する段階と、第一論理チャネルグループのアップリンクバッファのデータ量という情報を短フォーマットのＢＳＲ制御要素に載せる段階と、短フォーマットのＢＳＲ制御要素をＭＡＣ  ＰＤＵのパディング領域に載せて、無線通信システムのネットワークに伝送する段階とを含む。
【０００７】
本発明では更に、無線通信システムのＵＥにおいてＢＳＲを正確に実行するための通信装置を開示する。当該通信装置は、プログラムを実行するＣＰＵ（中央処理装置）と、ＣＰＵに結合され、プログラムを記録する記憶装置とを含む。プログラムは、大きさが第一所定値より小さいパディング領域を含むＭＡＣ  ＰＤＵを形成する段階と、ＵＥの複数の論理チャネルグループの優先度と、各論理チャネルグループのアップリンクバッファのデータ量に基づいて、第一論理チャネルグループを選択する段階と、第一論理チャネルグループのアップリンクバッファのデータ量という情報を短フォーマットのＢＳＲ制御要素に載せる段階と、短フォーマットのＢＳＲ制御要素をＭＡＣ  ＰＤＵのパディング領域に載せて、無線通信システムのネットワークに伝送する段階とを含む。
【図面の簡単な説明】
【０００８】
【図１】無線通信システムを表す説明図である。
【図２】無線通信装置のブロック図である。
【図３】図２に示すプログラムを表す説明図である。
【図４】本発明による方法のフローチャートである。
【発明を実施するための形態】
【０００９】
かかる方法及び装置の特徴を詳述するために、具体的な実施例を挙げ、図を参照にして以下に説明する。
【００１０】
図１を参照する。図１は無線通信システム１０００を表す説明図である。無線通信システム１０００は望ましくはＬＴＥシステムであり、概してネットワークと複数のＵＥを含む。図１に示すネットワークとＵＥは無線通信システム１０００の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１１】
図２を参照する。図２は無線通信装置１００のブロック図である。無線通信装置１００は図１に示すＵＥを実施するために用いられる。説明を簡素化するため、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１２】
図３を参照する。図３は図２に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１３】
ＬＴＥ無線通信システムでは、第二層インターフェイス２０６のＭＡＣ層はＢＳＲプロセスを実行し、長フォーマットまたは短フォーマットのＢＳＲ制御要素で、すべてまたは特定の論理チャネルグループの状態を報告する。それに鑑みて、本発明の実施例では、短フォーマットのＢＳＲ制御要素に対応する論理チャネルグループを正確に決めるためのＢＳＲプログラム２２０を提供する。図４を参照する。図４は本発明による方法４０のフローチャートである。下記方法４０は無線通信システム１０００のＵＥにおいてＢＳＲを実行し、短フォーマットのＢＳＲ制御要素に対応する論理チャネルグループを決めるために用いられる。
【００１４】
ステップ４００：開始。
ステップ４０１：大きさが第一所定値より小さいパディング領域を含むＭＡＣ  ＰＤＵを形成する。
ステップ４０２：ＵＥの複数の論理チャネルグループの優先度と、各論理チャネルグループのアップリンクバッファのデータ量に基づいて、第一論理チャネルグループを選択する。
ステップ４０４：前記第一論理チャネルグループのアップリンクバッファのデータ量という情報を短フォーマットのＢＳＲ制御要素に載せる。
ステップ４０６：前記短フォーマットのＢＳＲ制御要素を前記ＭＡＣ  ＰＤＵのパディング領域に載せて、無線通信システムのネットワークに伝送する。
ステップ４０８：終了。
【００１５】
以上のとおり、ＵＥでＢＳＲを実行するとき、対応するＭＡＣ  ＰＤＵに大きさが第一所定値より小さいパディング領域がある場合、本発明の実施例では、すべての論理チャネルグループの優先度と、対応するアップリンクバッファのデータ量に基づいて、特定の論地チャネルグループを選択し、そのアップリンクバッファのデータ量という情報を短フォーマットのＢＳＲ制御要素に載せ、ＭＡＣ  ＰＤＵ形式でネットワークに返送する。
【００１６】
望ましくは、本発明の実施例では、優先度が高く、かつアップリンクバッファのデータ量が０または第二所定値より大きい論理チャネルグループを選び、その情報を短フォーマットのＢＳＲ制御要素に載せる。前記第一所定値は望ましくは、長フォーマットのＢＳＲ制御要素を運ぶのに必要な大きさに対応し、すなわち４ビットである（そのうち３ビットは長フォーマットのＢＳＲ制御要素の長さに当たり、１ビットは対応するヘッダに当たる）。言い換えれば、ＢＳＲの実行時、ＭＡＣ  ＰＤＵに余分の空間（すなわちパディング領域）があるが、この余分の空間が短フォーマットのＢＳＲ制御要素しか運べず、長フォーマットのＢＳＲ制御要素を運べない場合、本発明の実施例では、最優先かつアップリンクバッファのデータ量が０より大きい論理チャネルグループを選び、その情報を短フォーマットのＢＳＲ制御要素に載せ、更にこの短フォーマットのＢＳＲ制御要素をＭＡＣ  ＰＤＵに載せてネットワークに伝送し、ＢＳＲを完成させる。
【００１７】
したがって、ＵＥでＢＳＲを実行するとき、ＭＡＣ  ＰＤＵの余分の空間（パディング領域）が短フォーマットのＢＳＲ制御要素しか運べない場合、本発明の実施例では、最優先かつアップリンクバッファのデータ量が０より大きい（または所定値より大きい）論理チャネルグループを選び、その情報を短フォーマットのＢＳＲ制御要素に載せる。例えば、ＵＥがＭＡＣ  ＰＤＵのパディング領域でＢＳＲ制御要素を運ぶが、このパディング領域の長さが長フォーマットのＢＳＲ制御要素を運ぶのに足りない場合、余分の空間（パディング領域）を充分に利用するために、ＭＡＣ層は短フォーマットのＢＳＲ制御要素で特定論理チャネルグループのアップリンクバッファのデータ量を報告する。この場合、本発明の実施例では、最優先かつアップリンクバッファのデータ量が０より大きい（または所定値より大きい）論理チャネルグループを選び、その情報を短フォーマットのＢＳＲ制御要素に載せる。
【００１８】
まとめて言えば、ＵＥでＢＳＲを実行するとき、対応するＭＡＣ  ＰＤＵの余分の空間が短フォーマットのＢＳＲ制御要素しか運べない場合、本発明の実施例では、最優先かつアップリンクバッファのデータ量が０より大きい（または所定値より大きい）論理チャネルグループを選び、その情報を短フォーマットのＢＳＲ制御要素に載せる。
【００１９】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２０】
１０００  無線通信システム
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＢＳＲプログラム
【図１】
0005334296.tif 000002
【図２】
0005334296.tif 000003
【図３】
0005334296.tif 000004
【図４】
0005334296.tif 000005